(57)【要約】【課題】画像を修正する場合に修正箇所が目立つことのない印刷システムおよび印刷装置を提供する。【解決手段】画像読み取り装置を有している印刷装置にて修正を施したい印刷済み用紙をスキャンし、画像データを得る。画像データを前景と背景に分離し、前景の修正を行う。前景を修正した修正情報を保持した後、前景と背景を合成させ、印刷情報を得る。そして印刷要求により、印刷情報を印刷することにより、印刷用紙の修正が終了する。【選択図】    図６
2005101824.tif 000002
【特許請求の範囲】
【請求項１】
印刷装置と、前記印刷装置と通信可能に接続したクライアント装置と、から成る印刷システムであって、前記印刷装置は、用紙から画像を読み込む画像読み込み手段と、前記画像読み込み手段により読み込んだ画像の前景と背景を分離する前景背景分離手段と、前記分離した前景を前記クライアント装置に送信する前景送信手段と、前記クライアント装置にて修正した前記前景の情報をクライアント装置から受信して保持する修正情報保持手段と、前記修正した前景と前記背景を合成し印刷イメージを生成する前景背景合成手段と、前記修正情報と前記印刷イメージから印刷情報を生成する印刷情報生成手段と、前記修正情報が示す修正位置に１色以上のインクにより前記印刷情報を印刷する印刷情報印刷手段とを有し、前記クライアント装置は、前記印刷装置から受信した前記前景を修正する前景修正手段と、前記前景の修正を行った情報を取得し印刷装置に送信する修正情報送信手段とを有することを特徴とする印刷システム。
【請求項２】
請求項１に記載の印刷システムにおけるクライアント装置とネットワークに接続する印刷装置であって、用紙から画像を読み込む画像読み込み手段と、前記画像読み込み手段により読み込んだ画像の前景と背景を分離する前景背景分離手段と、前記分離した前景を前記クライアント装置に送信する前景送信手段と、前記クライアント装置にて修正した前記前景の情報をクライアント装置から受信して保持する修正情報保持手段と、前記修正した前景と前記背景を合成し印刷イメージを生成する前景背景合成手段と、前記修正情報と前記印刷イメージから印刷情報を生成する印刷情報生成手段と、前記修正情報が示す修正位置に１色以上のインクにより前記印刷情報を印刷する印刷情報印刷手段とを有することを特徴とする印刷装置。
【請求項３】
クライアント装置とネットワークに接続する印刷装置であって、用紙から画像を読み込む画像読み込み手段と、前記画像読み込み手段により読み込んだ画像の前景と背景を分離する前景背景分離手段と、前記分離した前景を前記クライアント装置に送信する前景送信手段と、前記クライアント装置にて修正した前記前景の情報をクライアント装置から受信して保持する修正情報保持手段と、前記修正した前景と前記背景を合成し印刷イメージを生成する前景背景合成手段と、前記修正情報と前記印刷イメージから印刷情報を生成する印刷情報生成手段と、前記修正情報が示す修正位置に１色以上のインクにより前記印刷情報を印刷する印刷情報印刷手段とを有することを特徴とする印刷装置。
【請求項４】
クライアント装置とネットワークに接続する印刷装置と、前記印刷装置と通信可能に接続したクライアント装置から成る印刷システムであって、前記クライアント装置は前記印刷装置から受信した画像の前景と背景を分離する前景背景分離手段と、前記背景を修正する前景修正手段と、前記修正した前景と前景背景を合成し印刷イメージを生成する前景背景合成手段と、前記修正手段にて修正した位置を表す位置情報と前記印刷イメージから印刷情報を生成する印刷情報生成手段と、前記印刷情報を前記印刷装置に送信する印刷情報送信手段と、前記印刷装置に修正した位置情報を送信する修正情報送信手段とを有し、前記印刷装置は、用紙から画像を読み込む画像読み込み手段と、前記画像読み込み手段により読み込んだ画像を前記クライアント装置に送信する画像送信手段と、前記クライアント装置より印刷情報を受信する印刷情報受信手段と、前記クライアント装置より修正した情報を受信し保持する修正情報保持手段と、前記修正情報が示す修正位置に１色以上のインクにより前記印刷情報を印刷する印刷情報印刷手段とを有することを特徴とする印刷システム。
【請求項５】
請求項４に記載の印刷システムにおけるクライアント装置とネットワークに接続する印刷装置は、用紙から画像を読み込む画像読み込み手段と、前記画像読み込み手段により読み込んだ画像を前記クライアント装置に送信する画像送信手段と、前記クライアント装置より印刷情報を受信する印刷情報受信手段と、前記クライアント装置より修正した情報を受信し保持する修正情報保持手段と、前記修正情報が示す修正位置に１色以上のインクにより前記印刷情報を印刷する印刷情報印刷手段とを有することを特徴とする印刷装置。
【請求項６】
クライアント装置とネットワークに接続する印刷装置は、用紙から画像を読み込む画像読み込み手段と、前記画像読み込み手段により読み込んだ画像を前記クライアント装置に送信する画像送信手段と、前記クライアント装置より印刷情報を受信する印刷情報受信手段と、前記クライアント装置より修正した情報を受信し保持する修正情報保持手段と、前記修正情報が示す修正位置に１色以上のインクにより前記印刷情報を印刷する印刷情報印刷手段とを有することを特徴とする印刷装置。
【請求項７】
請求項１から請求項６記載のインクは少なくとも白色を含むことを特徴とする印刷装置。
【発明の詳細な説明】
【技術分野】
【０００１】
本発明は、パソコン等の端末からの印刷指示に従って印刷処理を実行する印刷装置等に係り、特に、印刷結果を修正することができる印刷システム並びに印刷装置に関するものである。
【背景技術】
【０００２】
会議用のプリントなど一度に同じデータを印刷することがよくあるが、その際に誤ったデータを印刷した場合、少量の修正でも再度印刷を行う必要があり、インク又はトナーと印刷用紙の無駄になっていた。そこで、印刷済みの印刷用紙を修正する機構のついているプリンタが考案されている。特許文献１記載のプリンタ装置の場合は、白塗りコーティングにより文字を消し、その上に文字を印刷するというものである。
【０００３】
【特許文献１】特開平７−１２５３８６号公報
【発明の開示】
【発明が解決しようとする課題】
【０００４】
しかしながら、上記従来のプリンタ装置にあっては、白塗りコーティング機構が設けられており、修正箇所を白色で塗りつぶしていたが、背景が白以外の用紙や、方眼紙などの模様があるものに対しては修正箇所が目立ってしまうという問題点を有していた。
【０００５】
そこで、本発明は修正しても修正箇所が目立つことのない印刷システムおよび印刷装置を提供することを目的とする。
【課題を解決するための手段】
【０００６】
〔発明１〕
本発明の印刷システムは、クライアント装置とネットワークに接続する印刷装置と、前記印刷装置と通信可能に接続したクライアント装置から成る印刷システムであって、前記印刷装置は、用紙から画像を読み込む画像読み込み手段と、前記画像読み込み手段により読み込んだ画像の前景と背景を分離する前景背景分離手段と、前記分離した前景を前記クライアント装置に送信する前景送信手段と、前記クライアント装置にて修正した前記前景の情報をクライアント装置から受信して保持する修正情報保持手段と、前記修正した前景と前記背景を合成し印刷イメージを生成する前景背景合成手段と、前記修正情報と前記印刷イメージから印刷情報を生成する印刷情報生成手段と、前記修正情報が示す修正位置に１色以上のインクにより前記印刷情報を印刷する印刷情報印刷手段とを有し、前記クライアント装置は、前記印刷装置から受信した前記前景を修正する前景修正手段と、前記前景の修正を行った情報を取得し印刷装置に送信する修正情報送信手段とを有することを特徴とする。
【０００７】
上記構成によれば、既存の印刷物への修正を行う場合、目立つことなく修正印刷を行うことができ、クライアント装置に負荷を与えることのない印刷システムを提供することができるという効果を有する。
【０００８】
〔発明２〕
本発明の印刷装置は、印刷システムにおけるクライアント装置とネットワークに接続する印刷装置であって、用紙から画像を読み込む画像読み込み手段と、前記画像読み込み手段により読み込んだ画像の前景と背景を分離する前景背景分離手段と、前記分離した前景を前記クライアント装置に送信する前景送信手段と、前記クライアント装置にて修正した前記前景の情報をクライアント装置から受信して保持する修正情報保持手段と、前記修正した前景と前記背景を合成し印刷イメージを生成する前景背景合成手段と、前記修正情報と前記印刷イメージから印刷情報を生成する印刷情報生成手段と、前記修正情報が示す修正位置に１色以上のインクにより前記印刷情報を印刷する印刷情報印刷手段とを有することを特徴とする。
【０００９】
上記構成によれば、前記印刷システムにおいて、既存の印刷物への修正を行う場合、目立つことなく修正印刷を行う印刷装置を提供することができるという効果を有する。
【００１０】
〔発明３〕
本発明の印刷装置は、クライアント装置とネットワークに接続する印刷装置であって、用紙から画像を読み込む画像読み込み手段と、前記画像読み込み手段により読み込んだ画像の前景と背景を分離する前景背景分離手段と、前記分離した前景を前記クライアント装置に送信する前景送信手段と、前記クライアント装置にて修正した前記前景の情報をクライアント装置から受信して保持する修正情報保持手段と、前記修正した前景と前記背景を合成し印刷イメージを生成する前景背景合成手段と、前記修正情報と前記印刷イメージから印刷情報を生成する印刷情報生成手段と、前記修正情報が示す修正位置に１色以上のインクにより前記印刷情報を印刷する印刷情報印刷手段とを有することを特徴とする。
【００１１】
上記構成によれば、既存の印刷物への修正を行う場合に目立つことなく修正印刷を行う印刷装置を提供することができるという効果を有する。
【００１２】
〔発明４〕
本発明の印刷システムは、クライアント装置とネットワークに接続する印刷装置と、前記印刷装置と通信可能に接続したクライアント装置から成る印刷システムであって、前記クライアント装置は前記印刷装置から受信した画像の前景と背景を分離する前景背景分離手段と、前記背景を修正する前景修正手段と、前記修正した前景と前景背景を合成し印刷イメージを生成する前景背景合成手段と、前記修正手段にて修正した位置を表す位置情報と前記印刷イメージから印刷情報を生成する印刷情報生成手段と、前記印刷情報を前記印刷装置に送信する印刷情報送信手段と、前記印刷装置に修正した位置情報を送信する修正情報送信手段とを有し、前記印刷装置は、用紙から画像を読み込む画像読み込み手段と、前記画像読み込み手段により読み込んだ画像を前記クライアント装置に送信する画像送信手段と、前記クライアント装置より印刷情報を受信する印刷情報受信手段と、前記クライアント装置より修正した情報を受信し保持する修正情報保持手段と、前記修正情報が示す修正位置に１色以上のインクにより前記印刷情報を印刷する印刷情報印刷手段とを有することを特徴とする。
【００１３】
上記構成によれば、既存の印刷物への修正を行う場合、目立つことなく修正印刷を行うことができ、印刷装置に負荷を与えることのない印刷システムを提供することができるという効果を有する。
【００１４】
〔発明５〕
本発明の印刷装置は、前記印刷システムにおけるクライアント装置とネットワークに接続する印刷装置であって、用紙から画像を読み込む画像読み込み手段と、前記画像読み込み手段により読み込んだ画像を前記クライアント装置に送信する画像送信手段と、前記クライアント装置より印刷情報を受信する印刷情報受信手段と、前記クライアント装置より修正した情報を受信し保持する修正情報保持手段と、前記修正情報が示す修正位置に１色以上のインクにより前記印刷情報を印刷する印刷情報印刷手段とを有することを特徴とする。
【００１５】
上記構成によれば、前記印刷システムにおいて、既存の印刷物への修正を行う場合、目立つことなく修正印刷を行う印刷装置を提供することができるという効果を有する。
【００１６】
〔発明６〕
本発明の印刷装置は、用紙から画像を読み込む画像読み込み手段と、前記画像読み込み手段により読み込んだ画像を前記クライアント装置に送信する画像送信手段と、前記クライアント装置より印刷情報を受信する印刷情報受信手段と、前記クライアント装置より修正した情報を受信し保持する修正情報保持手段と、前記修正情報が示す修正位置に１色以上のインクにより前記印刷情報を印刷する印刷情報印刷手段とを有することを特徴とする。
【００１７】
上記構成によれば、既存の印刷物への修正を行う場合に目立つことなく修正印刷を行う印刷装置を提供することができるという効果を有する。
【００１８】
〔発明７〕
本発明の印刷装置は、少なくとも白色を含むインクを搭載していることを特徴する。
【００１９】
上記構成によれば、背景がどのような色の印刷物へも目立つことなく修正印刷を行うことができるという効果を有する。
【発明を実施するための最良の形態】
【００２０】
以下、本発明の実施形態を図面に基づいて説明する。
【実施例１】
【００２１】
図１ないし図１２は、請求項１、請求項２、請求項３および請求項７の発明に係る印刷システムおよび印刷装置の第１の実施の形態を示す図である。
【００２２】
本発明の形態は、印刷システムおよび印刷装置を、印刷装置２００において、クライアント装置１００からの印刷データに基づいて画像の修正および印刷を行う場合について適用したものである。
【００２３】
まず、本発明を適用するネットワークシステムの構成を図１を参照しながら説明する。
【００２４】
図１は、本発明を適用するネットワークシステムの構成を示すブロック図である。
【００２５】
クライアント装置１００と印刷装置２００とは、図１に示すように、印刷データを伝送するためのプリンタケーブル１９９により通信可能に接続されている。
【００２６】
次に、クライアント装置１００の構成を、図２を参照しながら詳細に説明する。
【００２７】
図２は、クライアント装置１００の構成を示すブロック図である。
【００２８】
クライアント装置１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００２９】
Ｉ／Ｆ３８には、外部装置として、ヒューマンインターフェースとしてデータの入力が可能なキーボードやマウス等からなる入力装置４０と、画像データやテーブル等をファイルとして格納する記憶装置４２と、画像信号に基づいて画面を表示する表示装置４４と、プリンタケーブル１９９とが接続されている。
【００３０】
ＣＰＵ３０は、マイクロプロセッシングユニット（ＭＰＵ）等からなり、ＲＯＭ３２の所定領域に格納されている所定のプログラムを起動させ、そのプログラムに従って、図６のフローチャートに示す修正要求処理を実行するようになっている。
【００３１】
図３は、印刷装置２００の構成を示すブロック図である。
【００３２】
印刷装置２００は、図３に示すように、印刷用紙５０に印刷を行う白色インク搭載印刷ヘッド５２と、印刷用紙５０をスキャンする画像読み込み手段５４と、白色インク搭載印刷ヘッドをガイドレール５６上で移動させるヘッド駆動部５８と、ガイドレール５６と直交する方向に印刷用紙５０を送出する用紙送出部６０と、白色インク搭載印刷ヘッド５２、ヘッド駆動部５８および用紙送出部６０を印刷データに基づいて制御する印刷制御部６２と、画像読み込み手段５４および用紙送出部６０を制御する画像読み込み手段制御部６４とで構成されている。
【００３３】
次に、印刷制御部６２の構成を、図４を参照しながら詳細に説明する。
【００３４】
図４は、印刷制御部６２の構成を示すブロック図である。
【００３５】
印刷制御部６２は、図４に示すように、制御プログラムに基づいて演算およびシステム全体を制御するＣＰＵ７０と、所定領域にあらかじめＣＰＵ７０の制御プログラム等を格納しているＲＯＭ７２と、ＲＯＭ７２等から読み出したデータやＣＰＵ７０の演算過程で必要な演算結果を格納するためのＲＡＭ７４と、外部装置に対してデータの入出力を媒介するＩ／Ｆ７６とで構成されており、これらは、データを転送するための信号線であるバス７９で相互にかつデータ授受可能に接続されている。
【００３６】
Ｉ／Ｆには、外部装置として、白色インク搭載印刷ヘッド５２と、ヘッド駆動部５４と、用紙送出部５６と、プリンタケーブル１９９とが接続されている。
【００３７】
ＣＰＵ７０は、マイクロプロセッシングユニット（ＭＰＵ）等からなり、ＲＯＭ７２の所定領域に格納されている所定のプログラムを起動させ、そのプログラムに従って、印刷処理を実行するようになっている。
【００３８】
次に、画像読み込み手段制御部６４の構成を、図５を参照しながら詳細に説明する。
【００３９】
図５は、画像読み込み手段制御部６４の構成を示すブロック図である。
【００４０】
画像読み込み手段制御部６４は、図５に示すように、制御プログラムに基づいて演算およびシステム全体を制御するＣＰＵ９０と、所定の領域にあらかじめＣＰＵ９０の制御プログラ等を格納しているＲＯＭ９２と、ＲＯＭ９２等から読み出したデータやＣＰＵ９０の演算過程で必要な演算結果を格納するためのＲＡＭ９４と、外部装置に対してデータの入出力を媒介するＩ／Ｆ９６とで構成されており、これらは、データを転送するための信号線であるバス９９で相互にかつデータ授受可能に接続されている。
【００４１】
Ｉ／Ｆ９６には、外部装置として、イメージ原稿読み取り部８２と、用紙送出部６０と、プリンタケーブル１９９とが接続されている。
【００４２】
ＣＰＵ９０は、マイクロプロセッシングユニット（ＭＰＵ）等からなり、ＲＯＭ９２の所定領域に格納されている所定のプログラムを起動させ、そのプログラムに従って、スキャン処理を実行するようになっている。
【００４３】
図６は修正要求処理を示すフローチャートである。
【００４４】
修正要求処理は、プリンタドライバとして構成され、アプリケーションで画像読み込み処理が要求されたときに起動する処理であって、ＣＰＵ３０において実行されると、ステップＳ１００に移行するようになっている。
【００４５】
ステップＳ１００では、図７に示すように印刷用紙に印字された画像データ１を画像読み込み手段から読み出し、読み出した画像データ１はＲＡＭ９４に格納され、読み出し結果を表示装置４４に表示し、ステップＳ１０２に移行する。
【００４６】
ステップＳ１０２では、ＲＯＭ９２の所定領域に格納されている所定のプログラムを実行し、ＣＰＵ９０により演算処理を行い、ＲＡＭ９４に格納されている画像データ１を図８に示すように前景２と背景３に分離する。画像データ１を分離して生成された前景２がＩ／Ｆ９６を介してクライアント装置に送られ、ＲＡＭ３４に格納され、その結果を表示装置４４に表示する。画像データ１を分離して生成された背景３はＲＡＭ７４に格納される。
【００４７】
次いで、ステップＳ１０４に移行して、ステップＳ１０２で分離した前景２の修正をユーザに対して要求する。図９に示すように、ユーザは前景２の修正を施したい箇所に白画像４を重ね、重ねた白画像４の上に修正後のデータ５を重ねる。
【００４８】
次いでステップＳ１０６に移行して、図１０に示すようにステップＳ１０４においてユーザによって白画像を重ねた範囲を７とし、範囲７を含み、白画像を重ねた位置の情報である位置情報６が生成される。位置情報６はＩ／Ｆ３８を介して印刷装置２００に送られＲＡＭ７４に格納される。
【００４９】
次いでステップＳ１０８では、印刷イメージを生成する。
【００５０】
図１１は印刷イメージ８を生成する場合を示す図である。
【００５１】
ＲＯＭ７２の所定領域に格納されている所定のプログラムを実行し、ＣＰＵ７０により演算処理を行い、図１１に示すように、ＲＡＭ７４に格納されている修正後の前景２と前景３を合成し、印刷イメージ８は生成される。合成された印刷イメージ８において点線で囲まれた修正部９には修正後の前景２と背景３が再現される。修正部９の拡大を図１０に示す。生成された印刷イメージ８はＲＡＭ７４に格納される。
【００５２】
次いでステップＳ１１０では、印刷情報を生成する。
【００５３】
図１２は印刷情報１１を生成する場合を示す図である。
【００５４】
印刷情報１１は、図１２に示すように、ステップＳ１０６で取得した位置情報６とステップＳ１０８で取得した印刷イメージ８が格納されているＲＡＭ７４より読み出し、両データを比較して、合致した部分のみを抽出し、印刷情報１１を生成する。
【００５５】
そして、ステップＳ１１２を経て、ステップＳ１１０で生成された印刷情報１１に基づいて印刷位置が調整され、印刷装置２００は印刷要求を受信後、印刷情報１１に基づいて印刷を行う。
【００５６】
このようにして、本実施の形態では、印刷装置２００は、画像を読み込み、読み込んだ画像データを前景と背景に分けることができるようになっており、さらには、修正後の前景と背景を合成し、印刷情報を生成することができる。また、クライアント装置１００は、画像データから分離された前景を修正することができるようになっている。また、印刷装置２００は、白色のインクを搭載し、印刷情報に基づいて印刷用紙に印刷を行うことができるようになっている。
【００５７】
上記構成によれば、印刷装置が画像データを前景と背景に分離するので、ユーザは前景背景を分離する作業や、前景と背景を合成する作業等を行わなくて済み、さらには、複雑な処理は印刷装置が実行するので、クライアント装置の性能に関わらず安定した処理を行うことができ、印刷装置で画像データより分離された前景を転送することで、画像データそのものを転送するよりはデータ量が少ないので転送時間を短縮することができる。また、印刷装置には白色インクを搭載しているので、既存の印刷物への修正を行う場合、背景が白い印刷物であったとしても目立つことなく修正印刷を行うことができる。
【実施例２】
【００５８】
図１ないし図１２は、請求項４、請求項５、請求項６および請求項７の発明に係る印刷システムおよび印刷装置の第２の実施の形態を示す図である。
【００５９】
本発明の形態は、印刷システムおよび印刷装置を、印刷装置２００において、クライアント装置１００からの印刷データに基づいて画像の修正および印刷を行う場合について適用したものである。
【００６０】
まず、本発明を適用するネットワークシステムの構成を図１を参照しながら説明する。
【００６１】
図１は、本発明を適用するネットワークシステムの構成を示すブロック図である。
【００６２】
クライアント装置１００と印刷装置２００とは、図１に示すように、印刷データを伝送するためのプリンタケーブル１９９により通信可能に接続されている。
【００６３】
次に、クライアント装置１００の構成を、図２を参照しながら詳細に説明する。
【００６４】
図２は、クライアント装置１００の構成を示すブロック図である。
【００６５】
クライアント装置１００は、図２に示すように、制御プログラムに基づいて演算およびシステム全体を制御するＣＰＵ３０と、所定領域にあらかじめＣＰＵ３０の制御プログラム等を格納しているＲＯＭ３２と、ＲＯＭ３２等から読み出したデータやＣＰＵ３０の演算過程で必要な演算結果を格納するためのＲＡＭ３４と、外部装置に対してデータの入出力を媒介するＩ／Ｆ３８とで構成されており、これらは、データを転送するための信号線であるバス３９で相互にかつデータ授受可能に接続されている。
【００６６】
Ｉ／Ｆ３８には、外部装置として、ヒューマンインターフェースとしてデータの入力が可能なキーボードやマウス等からなる入力装置４０と、画像データやテーブル等をファイルとして格納する記憶装置４２と、画像信号に基づいて画面を表示する表示装置４４と、プリンタケーブル１９９とが接続されている。
【００６７】
ＣＰＵ３０は、マイクロプロセッシングユニット（ＭＰＵ）等からなり、ＲＯＭ３２の所定領域に格納されている所定のプログラムを起動させ、そのプログラムに従って、図６のフローチャートに示す修正要求処理を実行するようになっている。
【００６８】
図３は、印刷装置２００の構成を示すブロック図である。
【００６９】
印刷装置２００は、図３に示すように、印刷用紙５０に印刷を行う白色インク搭載印刷ヘッド５２と、印刷用紙５０をスキャンする画像読み込み手段５４と、白色インク搭載印刷ヘッドをガイドレール５６上で移動させるヘッド駆動部５８と、ガイドレール５６と直交する方向に印刷用紙５０を送出する用紙送出部６０と、白色インク搭載印刷ヘッド５２、ヘッド駆動部５８および用紙送出部６０を印刷データに基づいて制御する印刷制御部６２と、画像読み込み手段５４および用紙送出部６０を制御する画像読み込み手段制御部６４とで構成されている。
【００７０】
次に、印刷制御部６２の構成を、図４を参照しながら詳細に説明する。
【００７１】
図４は、印刷制御部６２の構成を示すブロック図である。
【００７２】
印刷制御部６２は、図４に示すように、制御プログラムに基づいて演算およびシステム全体を制御するＣＰＵ７０と、所定領域にあらかじめＣＰＵ７０の制御プログラム等を格納しているＲＯＭ７２と、ＲＯＭ７２等から読み出したデータやＣＰＵ７０の演算過程で必要な演算結果を格納するためのＲＡＭ７４と、外部装置に対してデータの入出力を媒介するＩ／Ｆ７６とで構成されており、これらは、データを転送するための信号線であるバス７９で相互にかつデータ授受可能に接続されている。
【００７３】
Ｉ／Ｆには、外部装置として、白色インク搭載印刷ヘッド５２と、ヘッド駆動部５４と、用紙送出部５６と、プリンタケーブル１９９とが接続されている。
【００７４】
ＣＰＵ７０は、マイクロプロセッシングユニット（ＭＰＵ）等からなり、ＲＯＭ７２の所定領域に格納されている所定のプログラムを起動させ、そのプログラムに従って、印刷処理を実行するようになっている。
【００７５】
次に、画像読み込み手段制御部６４の構成を、図５を参照しながら詳細に説明する。
【００７６】
図５は、画像読み込み手段制御部６４の構成を示すブロック図である。
【００７７】
画像読み込み手段制御部６４は、図５に示すように、制御プログラムに基づいて演算およびシステム全体を制御するＣＰＵ９０と、所定の領域にあらかじめＣＰＵ９０の制御プログラ等を格納しているＲＯＭ９２と、ＲＯＭ９２等から読み出したデータやＣＰＵ９０の演算過程で必要な演算結果を格納するためのＲＡＭ９４と、外部装置に対してデータの入出力を媒介するＩ／Ｆ９６とで構成されており、これらは、データを転送するための信号線であるバス９９で相互にかつデータ授受可能に接続されている。
【００７８】
Ｉ／Ｆ９６には、外部装置として、イメージ原稿読み取り部８２と、用紙送出部６０と、プリンタケーブル１９９とが接続されている。
【００７９】
ＣＰＵ９０は、マイクロプロセッシングユニット（ＭＰＵ）等からなり、ＲＯＭ９２の所定領域に格納されている所定のプログラムを起動させ、そのプログラムに従って、スキャン処理を実行するようになっている。
【００８０】
図６は修正要求処理を示すフローチャートである。
【００８１】
修正要求処理は、プリンタドライバとして構成され、アプリケーションで画像読み込み処理が要求されたときに起動する処理であって、ＣＰＵ３０において実行されると、ステップＳ１００に移行するようになっている。
【００８２】
ステップＳ１００では、図７に示すように印刷用紙に印字された画像データ１を画像読み込み手段から読み出し、読み出した画像データ１はＩ／Ｆ３８を介してクライアント装置に送られ、ＲＡＭ３４に格納され、読み出し結果を表示装置４４に表示し、ステップＳ１０２に移行する。
【００８３】
ステップＳ１０２では、ＲＯＭ３２の所定領域に格納されている所定のプログラムを実行し、ＣＰＵ３０により演算処理を行い、ＲＡＭ３４に格納されている画像データ１を図８に示すように前景２と背景３に分離する。画像データ１を分離して生成された前景２と背景３をＲＡＭ３４に格納し、その結果を表示装置４４に表示する。
【００８４】
次いで、ステップＳ１０４に移行して、ステップＳ１０２で分離した前景２の修正をユーザに対して要求する。図９に示すように、ユーザは前景２の修正を施したい箇所に白画像４を重ね、重ねた白画像４の上に修正後のデータ５を重ねる。
【００８５】
次いでステップＳ１０６に移行して、図１０に示すようにステップＳ１０４においてユーザによって白画像を重ねた範囲を７とし、範囲７を含み、白画像を重ねた位置の情報である位置情報６が生成され、ＲＡＭ３４に格納する。
【００８６】
次いでステップＳ１０８では、印刷イメージを生成する。
【００８７】
図１１は印刷イメージ８を生成する場合を示す図である。
【００８８】
ＲＯＭ３２の所定領域に格納されている所定のプログラムを実行し、ＣＰＵ３０により演算処理を行い、図１１に示すように、ＲＡＭ３４に格納されている修正後の前景２と背景３を合成し、印刷イメージ８は生成される。合成された印刷イメージ８において点線で囲まれた修正部９には修正後の前景２と背景３が再現される。修正部９の拡大を図１０に示す。生成された印刷イメージ８はＲＡＭ３４に格納される。
【００８９】
次いでステップＳ１１０では、印刷情報を生成する。
【００９０】
図１２は印刷情報１１を生成する場合を示す図である。
【００９１】
印刷情報１１は、図１２に示すように、ステップＳ１０６で取得した位置情報６とステップＳ１０８で取得した印刷イメージ８を格納されているＲＡＭ３４より読み出し、両データを比較して、合致した部分のみを抽出し、印刷情報１１を生成する。
【００９２】
そして、ステップＳ１１２を経て、ステップＳ１１０で生成された印刷情報１１に基づいて印刷位置が調整され、印刷要求とともに印刷情報１１は印刷装置２００に送られ、印刷装置２００は印刷情報１１に基づいて印刷を行う。
【００９３】
このようにして、本実施の形態では、クライアント装置１００は、印刷装置２００により読み出された画像データを前景と背景に分離することができ、画像データから分離した前景を修正することができるようになっており、さらには修正された前景と背景に基づいて印刷情報を生成し、印刷データを印刷要求とともに印刷装置２００に送信するようになっており、印刷装置２００は、受信した印刷情報に基づいて印刷を行うようになっており、白色のインクを搭載し、受信した印刷情報に基づいて印刷用紙に印刷できるようになっている。
【００９４】
上記の構成によれば、印刷装置は複雑な処理を行うことがないので、製造コストを抑えることができ、複数のクライアント装置とネットワークで繋がれている場合には印刷装置の負荷を低減することができる。また、既存の印刷物への修正を行う場合、背景が白い印刷物であったとしても目立つことなく修正印刷を行うことができる。
【図面の簡単な説明】
【００９５】
【図１】本発明を適用するネットワークシステムの構成を示すブロック図である。
【図２】クライアント装置１００の構成を示すブロック図である。
【図３】印刷装置２００の構成を示す機能ブロック図である。
【図４】印刷制御部６２の構成を示すブロック図である。
【図５】画像読み込み手段制御部６４の構成を示すブロック図である。
【図６】修正処理を示すフローチャートである。
【図７】画像データ１を示す図である。
【図８】画像データ１を前景２と背景３への分離処理を示す図である。
【図９】ユーザが前景２に対して修正する場合を示す図である。
【図１０】位置情報６を示す図である。
【図１１】印刷イメージ８を生成する場合を示す図である。
【図１２】印刷情報１１を生成する場合を示す図である。
【符号の説明】
【００９６】
１００：クライアント装置
２００：印刷処理
１９９：プリンタケーブル
３０：ＣＰＵ
３２：ＲＯＭ
３４：ＲＡＭ
３８：Ｉ／Ｆ
３９：バス
４０：入力装置
４２：記憶装置
４４：表示装置
５０：印刷用紙
５２：白色インク搭載印字ヘッド
５４：画像読み込み装置
５６：ガイドレール
５８：ヘッド駆動部
６０：用紙送出部
６２：印刷制御部
６４：画像読み込み装置制御部
７０：ＣＰＵ
７２：ＲＯＭ
７４：ＲＡＭ
７６：Ｉ／Ｆ
７９：バス
８２：イメージ原稿読み取り部
９０：ＣＰＵ
９２：ＲＯＭ
９４：ＲＡＭ
９６：Ｉ／Ｆ
９９：バス
１：画像データ
２：前景
３：背景
４：白画像
５：修正後のデータ
６：位置情報
７：白画像を重ねた範囲
８：印刷イメージ
９：修正部
１０：修正部９の拡大図
１１：印刷情報
【図１】
2005101824.tif 000003
【図２】
2005101824.tif 000004
【図３】
2005101824.tif 000005
【図４】
2005101824.tif 000006
【図５】
2005101824.tif 000007
【図６】
2005101824.tif 000008
【図７】
2005101824.tif 000009
【図８】
2005101824.tif 000010
【図９】
2005101824.tif 000011
【図１０】
2005101824.tif 000012
【図１１】
2005101824.tif 000013
【図１２】
2005101824.tif 000014